(57)【要約】      （修正有）【課題】着用している眼鏡を掛け替え又は外すことなく、簡単な操作により遠近両用又は近距離の対象物をはっきりと視ることができ、また急速な温度又は湿度によるレンズの曇りを起こすことがない、使い勝手の良い、素通し部を設けた老眼鏡を提供することと、製作コストが安価な素通し部を設けた老眼鏡を提供する。【解決手段】ほぼ四角形又は円形とされた左右のフレームＬ１、Ｒ１と、縦巾寸法を左右のフレームＬ１、Ｒ１の約半分又は半分よりやや大とした左右のレンズＬ２、Ｒ２とからなり、当該左右のレンズＬ２、Ｒ２は保持手段によって左右のフレームＬ１、Ｒ１の上部又は下部にそれぞれ保持されると共に、レンズ２は、移動手段又は回動手段により左右のフレームＬ１、Ｒ１内を下部又は上部に移動又は回動可能とされている。【選択図】図１
0003148357.tif 000002
【実用新案登録請求の範囲】
【請求項１】
フレーム付き老眼鏡において、
ほぼ四角形、円形又は楕円形とされた左右のフレームと、
縦巾寸法を前記左右のフレームの約半分又は半分よりやや大とした左右のレンズとからなり、
前記左右のレンズは保持手段によって前記左右のフレームの上部又は下部にそれぞれ保持されると共に、
当該レンズは、移動手段、回動又は回転手段により前記左右のフレーム内を下部又は上部に移動、回動又は回転可能とされている、
ことを特徴とする素通し部を設けた老眼鏡。
【請求項２】
前記ほぼ四角形の左右のフレームは、正方形又は長方形である、
ことを特徴とする請求項１に記載の素通し部を設けた老眼鏡。
【請求項３】
前記左右のレンズは、前記ほぼ正方形又は長方形の左右のフレーム内で下部又は
上部に移動可能に嵌合された長方形の凹レンズ又は凸レンズである、
ことを特徴とする請求項１〜請求項２の何れかに記載の素通し部を設けた老眼鏡。
【請求項４】
前記左右のレンズは、前記円形状の左右のフレーム内で下部又は上部に回動可能に嵌合されたほぼ半円形の凹レンズ又は凸レンズである、
ことを特徴とする請求項１に記載の素通し部を設けた老眼鏡。
【請求項５】
前記左右のレンズは、前記楕円形状の左右のフレーム内で下部又は上部に回転可能に保持されたほぼ半楕円形の凹レンズ又は凸レンズである、
ことを特徴とする請求項１に記載の素通し部を設けた老眼鏡。
【請求項６】
前記左右のレンズ保持手段が、
前記左右のレンズが嵌合する、ほぼ四角形、円形又は楕円形とされた左右フレームの水平直線上の内接部に形成された複数の半球状凸部又は枢支ピンと、
前記左右フレームの複数の半球状凸部又は枢支ピンに対応する位置に形成され、ほぼ長方形、半円形又は半楕円形の左右レンズにおけるフレームとの外周部に形成された複数の半球状凹部又はピン孔とからなる、
ことを特徴とする請求項１〜請求項５の何れかに記載の素通し部を設けた老眼鏡。
【請求項７】
前記左右のレンズの移動手段、回動又は回転手段が、
前記左右のフレームの内周部に形成された嵌合溝と、
前記左右のレンズの外周部に設けられた指掛け、指摘み又は枢支ピンに延設されたハンドルである、
ことを特徴とする請求項１〜請求項６の何れかに記載の素通し部を設けた老眼鏡。
【請求項８】
前記嵌合溝は、平断面視コ字状又は逆コ字状をなしていると共に、
当該嵌合溝の内接部とレンズの外周部間には、フレームの凸部とレンズとの凹部を除き、隙間が形成されている、
ことを特徴とする請求項１〜請求項７の何れかに記載の素通し部を設けた老眼鏡。
【請求項９】
前記楕円形状の左右フレームの上部中央周縁には下向きのＶ字状突起が形成され、また半楕円形状の左右レンズの下部中央周縁には、前記Ｖ字状突起に嵌入する逆Ｖ字状溝が形成されている、
ことを特徴とする請求項１、請求項５〜請求項７の何れかに記載の素通し部を設けた老眼鏡。
【考案の詳細な説明】
【技術分野】
【０００１】
本考案は、老眼になった眼鏡使用者が用いるのに便利な素通し部を設けた老眼鏡に関するもので、より詳しくは、眼鏡使用者は、遠近又は中距離の対象物を眼鏡又は裸眼で快適に視認できる素通し部を設けた老眼鏡であって、対象物を裸眼で視認したいときは、左右のフレームに保持されたフレームの約半分の巾寸法としたレンズを簡単な操作で上下に移動、回動又は回転させることが可能な素通し部を設けた老眼鏡に関する。
【背景技術】
【０００２】
人間の視力は加齢と共に衰え、老眼（老視）になることは誰でも避けることができない老化現象であり、視力障害である。加齢に伴い水晶体の弾力は衰え、水晶体を上下から支持する毛様体筋による焦点距離の調節が困難となることが老眼（老視）の原因と言われている。老眼（老視）の発症年令及び症状には個人差があるが、我国においては、発症年令の平均は４２、３歳といわれている。その症状としては、近距離のものがなんとなくかす
んで見える、本や新聞の字がぼやける、対象物を少し離すと見やすくなる、眼鏡をかけていると疲れやすい等々である。これらの症状が進行すると頭痛や肩こり等の全身症状となることもある。
【０００３】
老眼を意識した人は、不快な老眼の症状を改善するために、老眼鏡や老眼用コンタクトレンズを着用している。正視の人が老眼になると、一般的に遠中距離は裸眼で違和感なく見えるが、近距離、例えば新聞を見たり本を読んだり、あるいはパソコン操作、図面作成等が円滑にできない等々の障害が起きる。そのために近距離用の老眼鏡を掛けて対象物を視認し、遠中距離を見るときは老眼鏡を外さないと違和感がある。またもともと近視であった人が老眼となった場合、遠距離用レンズの眼鏡を着用するが、近くを見る場合は焦点が合わないので、着用した眼鏡を外して裸眼で対象物を視認するか、又は適合する近距離用眼鏡に掛け替えて対象物を視認している。さらに遠視の人も近距離が見えにくいために、近距離用眼鏡に掛け替えなければならない。いずれも眼鏡の掛け外しや交換が面倒となっている。
【０００４】
これらの不具合を解消するために、種々の形状の眼鏡フレーム内に各個人の視力の合わせた適正な度数の凹レンズ又は凸レンズ等を組み合わせた遠近両用眼鏡が市販されている。
しかし、遠近両用眼鏡は、両眼の視力検査を行ったうえで凹レンズと凸レンズの組み合わせ加工を行うために、老眼用眼鏡のみに比較して販売価格が極めて高額となっている。
【０００５】
遠用眼鏡を近用眼鏡への掛け替え（逆に近用眼鏡から遠用眼鏡の掛け替えもある）又は掛け外し等の煩わしさを解消するために、各種の眼鏡が提案されている。例えば、特開２００１−２０９０１１の「眼鏡」（特許文献１）は、遠視用眼鏡、近視用眼鏡、老眼鏡、サングラス等の眼鏡を使用するに際して、日常生活で掛け外しする必要性を減少させ、眼鏡を常に利便性をもって使用できるようにすることを課題とし、その解決手段は、 レンズの一部に透視用の透孔を開設してなることを特徴としている。
【０００６】
また実登３１０９７２０の「老眼用レンズ付き素通し眼鏡」（特許文献２）は、老眼鏡をかけた時に近い手元のものは、はっきり見えるが、そのまま、遠方を見たときに感じる違和感をなくし、又、急激な温度差による曇りで瞬時、先が見えなくなることのない眼鏡を提供することを課題として、その解決手段は、眼鏡の上部部位をレンズ又は素ガラス等を嵌めない素通し部分とし、下部部位のみを度の入った老眼用レンズとする。又、レンズが外れないようにレンズを設置する眼鏡枠に、樹脂や金属ビス等で固定するレンズ止めを設ける構成としている。
【０００７】
また実開平３−１０３４２３の「眼鏡」（特許文献３）は、長時間使用しても肉体的乃至精神的な疲労を伴わない眼鏡を提供することを課題とし、その解決手段は、眼鏡フレームのリム内方周縁に刻設してある嵌め込み溝の下部半部に老眼レンズをそれぞれ嵌着すると共に、上部半部に弾性材料から成る欠円状リングを嵌着して、前記リム下部半部に押着し、前記リム下部半部に空間である素通し部を形成したことを特徴としている。
【特許文献１】特開２００１−２０９０１１号公報
【特許文献２】実用新案登録第３１０９７２０号公報
【特許文献３】実開平３−１０３４２３号公報
【考案の開示】
【考案が解決しようとする課題】
【０００８】
しかしながら、特許文献１は、レンズの一部に透視用の透孔を開設してなるので、外観上、見映えが悪くかつ違和感があり実用性に欠けている。また特許文献２は、眼鏡の上部部位をレンズ又は素ガラス等を嵌めない素通し部分とし、下部部位のみを度の入った老眼用レンズを固定しているので、使い勝手が悪いという欠点がある。また特許文献３も特許文献２と同様に嵌め込み溝の下部半部に老眼レンズを固定しているので、使い勝手が悪い。
【０００９】
本考案は、上記市販製品の問題点や従来技術の不具合等を解消しようとするもので、課題の１は、着用している眼鏡を掛け替え又は外すことなく、簡単な操作により遠近両用又は近距離の対象物をはっきりと視ることができると共に、急速な温度又は湿度によるレンズの曇りを起こすことがない、使い勝手の良い、素通し部を設けた老眼鏡を提供することにあり、課題の２は、製作コストが安価な素通し部を設けた老眼鏡を提供することである。
【課題を解決するための手段】
【００１０】
本考案の出願人は、上記市販製品や従来技術が有する各種問題点に鑑み、鋭意検討を重ね、老眼になったとき、例えば近距離の対象物を視るときにのみ老眼鏡が必要で、遠中距離は、裸眼で違和感なく見える人もいれば、逆に遠中距離は眼鏡が必要であるが、近距離の物は裸眼で十分に見える人が多数いることに着目して本考案を完成したものである。
課題を解決するための手段は、本願、実用新案登録請求の範囲の各請求項に記載の考案であり、その具体的な解決手段は以下の通りである。
＊＊＊＊＊＊＊＊＊＊＊＊＊＊＊＊＊＊＊＊＊＊＊＊＊＊＊＊＊＊＊＊＊＊＊＊＊＊＊
本考案における実用新案登録請求の範囲、明細書、要約書及び図面等に記載の用語についての解釈上の疑義を解消すべく、以下に本考案の実用新案登録請求の範囲、明細書等に記載する用語の説明を行うこととする。
〈用語の説明〉
○正視とは、眼が全く調節を行っていない（例えば無限遠方を見ている）ときに、眼に入る平行光線が網膜上に結像する状態をいう。
○近視とは、眼が全く調節を行っていない（例えば無限遠方を見ている）ときに、眼に入る平行光線が網膜より手前に結像してしまう状態をいう。
○遠視とは、眼が全く調節を行っていない（例えば無限遠方を見ている）ときに、眼に入る平行光線が網膜より後に結像してしまう状態をいう。
○乱視とは、眼に入ってくる光の向きによって、光線の結像位置が変わってしまう状態をいう。
○老眼（老視）とは、加齢により目の 調節力 が減少する状態をいう。調節は水晶体で行っており、近くを見るときは、水晶体が膨らんで近くの一点にピントを合わせるが、加齢と共に水晶体の弾力性が低下して充分に膨らませることができなくなる。
○近距離とは、眼と対象物の距離が、約２５ｃｍ〜４０ｃｍをいう。
○中距離とは、眼と対象物の距離が、約４０ｃｍ以上〜約５ｍをいう。
○遠距離とは、眼と対象物の距離が、約５ｍ以上をいう。
○ 素通し部とは、フレーム付き老眼鏡において、左右のフレーム内にレンズ又はガラスが嵌合されていない部分をいう。
＊＊＊＊＊＊＊＊＊＊＊＊＊＊＊＊＊＊＊＊＊＊＊＊＊＊＊＊＊＊＊＊＊＊＊＊＊＊＊
課題を解決するための手段（第１考案〜第７考案）は、本願、実用新案登録請求の範囲の各請求項に記載の考案であり、具体的には、
第１の考案は、請求項１に記載の考案であり、
第２の考案は、請求項２に記載の考案であり、
第３の考案は、請求項３に記載の考案であり、
第４の考案は、請求項４に記載の考案であり、
第５の考案は、請求項５に記載の考案であり、
第６の考案は、請求項６に記載の考案であり、
第７の考案は、請求項７に記載の考案であり、
第８の考案は、請求項８に記載の考案であり、
第９の考案は、請求項９に記載の考案であり、
具体的な解決手段は、以下の通りである。      
【００１１】
［第１の考案］
上記の課題を解決するための第１の考案は、
「フレーム付き老眼鏡において、
ほぼ四角形、円形又は楕円形とされた左右のフレームと、
縦巾寸法を前記左右のフレームの約半分又は半分よりやや大とした左右のレンズとからなり、
前記左右のレンズは保持手段によって前記左右のフレームの上部又は下部にそれぞれ保持されると共に、
当該レンズは、移動手段、回動又は回転手段により前記左右のフレーム内を下部又は上部に移動、回動又は回転可能とされている」
ことを特徴とする、素通し部を設けた老眼鏡である。
【００１２】
［第２の考案］
上記の課題を解決するための第２の考案は、
「前記ほぼ四角形の左右のフレームは、正方形又は長方形である」
ことを特徴とする、請求項１に記載の素通し部を設けた老眼鏡である。
【００１３】
［第３の考案］
上記の課題を解決するための第３の考案は、
「前記左右のレンズは、前記ほぼ正方形又は長方形の左右のフレーム内で下部又は
上部に移動可能に嵌合された長方形の凹レンズ又は凸レンズである」
ことを特徴とする、請求項１〜請求項２の何れかに記載の素通し部を設けた老眼鏡である。
【００１４】
［第４の考案］
上記の課題を解決するための第４の考案は、
「前記左右のレンズは、前記円形状の左右のフレーム内で下部又は上部に回動可能に嵌合されたほぼ半円形の凹レンズ又は凸レンズである」
ことを特徴とする、請求項１に記載の素通し部を設けた老眼鏡である。
【００１５】
［第５の考案］
上記の課題を解決するための第５の考案は、
「前記左右のレンズは、前記楕円形状の左右のフレーム内で下部又は上部に回転可能に保持されたほぼ半楕円形の凹レンズ又は凸レンズである」
ことを特徴とする、請求項１に記載の素通し部を設けた老眼鏡である。
【００１６】
［第６の考案］
上記の課題を解決するための第６の考案は、
「前記左右のレンズ保持手段が、
前記左右のレンズが嵌合する、ほぼ四角形、円形又は楕円形とされた左右フレームの水平直線上の内接部に形成された複数の半球状凸部又は枢支ピンと、
前記左右フレームの複数の半球状凸部又は枢支ピンに対応する位置に形成され、ほぼ長
方形、半円形又は半楕円形の左右レンズにおけるフレームとの外周部に形成された複数の半球状凹部又はピン孔とからなる」
ことを特徴とする、請求項１〜請求項５の何れかに記載の素通し部を設けた老眼鏡である。
【００１７】
［第７の考案］
上記の課題を解決するための第７の考案は、
「前記左右のレンズの移動手段、回動又は回転手段が、
前記左右のフレームの内周部に形成された嵌合溝と、
前記左右のレンズの外周部に設けられた指掛け、指摘み又は枢支ピンに延設されたハンドルである」
ことを特徴とする、請求項１〜請求項６の何れかに記載の素通し部を設けた老眼鏡である。
【００１８】
［第８の考案］
上記の課題を解決するための第８の考案は、
「前記嵌合溝は、平断面視コ字状又は逆コ字状をなしていると共に、
当該嵌合溝の内接部とレンズの外周部間には、フレームの凸部とレンズとの凹部を除き、隙間が形成されている」
ことを特徴とする、請求項１〜請求項６の何れかに記載の素通し部を設けた老眼鏡である。
【００１９】
［第９の考案］
上記の課題を解決するための第9の考案は、
「前記楕円形状の左右フレームの上部中央周縁には下向きのＶ字状突起が形成され、また半楕円形状の左右レンズの下部中央周縁には、前記Ｖ字状突起に嵌入する逆Ｖ字状溝が形成されている」
ことを特徴とする、請求項１、請求項５〜請求項７の何れかに記載の素通し部を設けた老眼鏡である。
【考案の効果】
【００２０】
本考案に係る、素通し部を設けた老眼鏡は、上記のような特徴的構成用件から構成され、特徴的構成用件に応じた、以下のような本考案特有の効果を奏する。
また、上記のような特徴的構成用件から構成された素通し部を設けた老眼鏡によれば、上記した本考案の課題を十分に解消することができた。
【００２１】
○第１の考案の効果
第１の考案によれば、
「フレーム付き老眼鏡において、
ほぼ四角形、円形又は楕円形とされた左右のフレームと、
縦巾寸法を前記左右のフレームの約半分又は半分よりやや大とした左右のレンズとからなり、
前記左右のレンズは保持手段によって前記左右のフレームの上部又は下部にそれぞれ保持されると共に、
当該レンズは、移動手段、回動又は回転手段により前記左右のフレーム内を下部又は上部に移動、回動又は回転可能とされている」
という、当業界において想到することが困難な特徴的な構成により、
着用している眼鏡を掛け替え又は外すことなく、簡単な操作により遠近両用又は近距離の対象物をはっきりと視ることができると共に、急速な温度又は湿度によるレンズの曇りを起こすことがない、使い勝手の良い、素通し部を設けた老眼鏡を提供するという課題の１を解決することができた。また製作コストが安価な素通し部を設けた老眼鏡の提供という課題の２を解決することができた。即ち、左右のレンズの外周部に設けられた指掛けにより、当該レンズは上下移動、回動又は回転させて左右のフレーム内に素通し部を形成することができるので、例えば、外出するときに遠近両用眼鏡又は他の眼鏡等予備の眼鏡を携行する必要がなくなった。また、眼鏡の掛け替え又は外すという面倒さからも解放された。さらに、フレームは四角形又は円形とし、レンズはほぼ長方形又は半円形というシンプルな形状とされ、かつレンズは当該フレームのほぼ半分であるから、製作加工が極めて容易となったので、製作コスト及び販売価格を安価とすることができた。
【００２２】
○第２、第３及び第４の考案の効果
第２の考案によれば、
「前記ほぼ四角形の左右のフレームは、正方形又は長方形である」
という、当業界において想到することが困難な特徴的あるな構成とし、
また、第３の考案によれば、
「前記左右のレンズは、前記ほぼ正方形又は長方形の左右のフレーム内で下部又は
上部に移動可能に嵌合された長方形の凹レンズ又は凸レンズである」
という、当業界において想到することが困難な特徴的な構成とし、
さらに、第４の考案によれば、
「前記左右のレンズは、前記円形状の左右のフレーム内で下部又は上部に回動可能に嵌合されたほぼ半円形の凹レンズ又は凸レンズである」
という、当業界において想到することが困難な特徴的な構成により、
四角形又は円形状フレーム内の上部又は下部にそれぞれ嵌合、保持された左右のレンズは、眼鏡使用者の必要に応じて随時、指先等での簡単な操作で左右のレンズを下部又は上部に移動するか回動し、遠中距離又は近距離の対象物をはっきりと視ることができる。
【００２３】
○第５の考案の効果
第５の考案によれば、
「前記左右のレンズは、前記楕円形状の左右のフレーム内で下部又は上部に回転可能に保持されたほぼ半楕円形の凹レンズ又は凸レンズである」
という、当業界において想到することが困難な特徴的な構成により、
必要に応じて左右のレンズを指先で上部又は下部へ枢支ピンを介して回転させることができ、遠中距離又は近距離の視認対象物をはっきりと視ることができる。
【００２４】
○第６の考案の効果
第６の考案によれば、
「前記左右のレンズ保持手段が、
前記左右のレンズが嵌合する、ほぼ四角形、円形又は楕円形とされた左右フレームの水平直線上の内接部に形成された複数の半球状凸部又は枢支ピンと、
前記左右フレームの複数の半球状凸部又は枢支ピンに対応する位置に形成され、ほぼ長方形、半円形又は半楕円形の左右レンズにおけるフレームとの外周部に形成された複数の半球状凹部又はピン孔とからなる」
という、当業界において想到することが困難な特徴的な構成により、
左右のレンズは、左右フレームに形成された複数の半球状凸部又は枢支ピンと複数の半球状凹部又はピン孔により安定して保持されているので、例えば老眼鏡を床面等に落としても左右のレンズは、左右フレームから脱落して破損することがない。
【００２５】
○第７及び第８の考案の効果
第７の考案によれば、
「前記左右のレンズの移動手段、回動又は回転手段が、
前記左右のフレームの内周部に形成された嵌合溝と、
前記左右のレンズの外周部に設けられた指掛け、指摘み又は枢支ピンに延設されたハンドルである」
という、当業界において想到することが困難な特徴的な構成とし、
また、第８の考案によれば、
「前記嵌合溝は、平断面視コ字状又は逆コ字状をなしていると共に、
当該嵌合溝の内接部とレンズの外周部間には、フレームの凸部とレンズとの凹部を除き、隙間が形成されている」
という、当業界において想到することが困難な特徴的な構成により、
左右のレンズをフレーム内で上下の移動、回動又は回転させるときは、レンズの外周部に設けられた、それぞれの指掛け等に指先を当てるか又は摘んで上下動、回動又は回転させれば、簡単かつ円滑にレンズの位置を変位させ、遠中距離又は近距離の対象物をはっきりと視ることができる。
【００２６】
○第９の考案の効果
第９の考案によれば、
「前記楕円形状の左右フレームの上部中央周縁には下向きのＶ字状突起が形成され、また半楕円形状の左右レンズの下部中央周縁には、前記Ｖ字状突起に嵌入する逆Ｖ字状溝が形成されている」
という、当業界において想到することが困難な特徴的な構成により、
左右レンズが下部に保持されているときは枢支ピンとピン孔により、安定して保持され、また、左右レンズが回転されて上部にあるときも枢支ピン及びＶ字状突起と逆Ｖ字状溝により安定して保持される。
【考案を実施するための最良の形態】
【００２７】
以下、本考案に係る、素通し部を設けた老眼鏡に関する最良の実施形態について、図面を参照しながら説明する。
図１は、本考案に係る、素通し部を設けた老眼鏡の全体を示す斜視図である。
図２は、同上の正面図である。
図３は、四角形凸レンズの斜視図である。
図４は、図２における４−４線拡大断面図である。
図５は、図４における５−５線拡大断面図である。
図６は、 本考案に係る、素通し部を設けた老眼鏡における他の実施形態を示す正面図である。
図７は、円形凸レンズの斜視図である。
図８は、図６における８−８線拡大断面図である。
図９は、図６における左右のレンズを上部に回動した状態を示す正面図である。
図１０は、本考案に係る、素通し部を設けた老眼鏡における第３の実施形態を示す正面図である。
図１１は、図１０における１１−１１線拡大断面図である。
図１２（イ）は、図１１における（イ）部の一部切欠拡大正面図、（ロ）は、同（ロ）部の一部切欠拡大正面図である。
【００２８】
図１は、本考案に係る、素通し部を設けた老眼鏡Ｍ１の全体を示し、フレーム１及びレンズ２がほぼ長方形をなした素通し部を設けた老眼鏡Ｍ１である。フレーム１をほぼ正方形とすることもできるが、レンズ２はほぼ長方形とされる。フレーム１は、左フレームＬ１及び右フレームＲ１からなっている。レンズ２は、左レンズＬ２及び右レンズＲ２からなっている。３はブリッジ、４はノーズパッド、５はヨロイ、６はヒンジ、７はテンプル、８はモダンである。
【００２９】
図２は、フレーム１の上部にレンズ２を保持した状態を示している。左フレームＬ１及び右フレームＲ１は、ほぼ長方形をなし、四隅部はデザイン上、円弧状とすることが好ましい。フレーム１の素材は、硬質樹脂材又は軽量金属、例えばチタン等が用いられる。レンズ２もほぼ長方形をなしている。左フレームＬ１及び右フレームＲ１に嵌合、保持された左レンズＬ２及び右レンズＲ２の縦巾寸法ｈ（左レンズＬ２と右レンズＲ２は同寸法）は、左フレームＬ１及び右フレームＲ１の縦巾寸法Ｈの約半分又は半分よりやや大とされている。図１〜図２に示すように遠視用、近視用又は乱視用の凸レンズ又は凹レンズからなる左レンズＬ２及び右レンズＲ２は、左フレームＬ１及び右フレームＲ１の上部（又は
下部）に保持され、左フレームＬ１及び右フレームＲ１の下部にはそれぞれ素通し部Ａ１及びＡ２が形成されている。ａ１、ａ２、ａ３及びａ４は、左フレームＬ１及び右フレームＲ１の水平直線上の内接部Ｌ１１及びＲ１１に形成された複数の半球状凸部である。Ｌ２ａ及びＲ２ａは、透明樹脂材からなる横巾寸法が約５〜８ｍｍのＬ型アングル状の指掛
けで、左レンズＬ２及び右レンズＲ２の上辺近傍の中央に接着剤等で貼着されている。指掛けＬ２ａ及びＲ２ａは、左レンズＬ２及び右レンズＲ２の位置を下部又は上部に移動させるときに使用されるものである。
【００３０】
図３に示す左レンズＬ２（右レンズＲ２の形状、寸法等は同一であるからその構造等についての説明は省略する。）の外周部Ｌ２１とＬ２２の上方には、複数の半球状凹部ｂ１とｂ２が水平直線上に設けられ、同時に外周部Ｌ２１とＬ２２の下方には、複数の半球状凹部ｂ３とｂ４が水平直線上に設けられている。左フレームＬ１と左レンズＬ２の保持手段は、上述した左フレームＬ１の内接部Ｌ１１に形成された半球状凸部ａ１、ａ２、ａ３及びａ４と左レンズＬ２及び右レンズＲ２に設けられた半球状凹部ｂ１、ｂ２、ｂ３及びｂ４からなり、左フレームＬ１の半球状凸部ａ１とａ２にレンズＬ２の半球状凹部ｂ１とｂ２が嵌合され、また半球状凸部ａ３とａ４に半球状凹部ｂ３とｂ４が嵌合されて、左レンズＬ２はフレームＬ１に保持されている。
【００３１】
図４及び図５は、左フレームＬ１に左レンズＬ２が保持された状態で、指掛けＬ２ａは、左フレームＬ１の下端縁Ｌ１ａに当接して保持されている。Ｌ１ｂは、左フレームＬ１の内接部に形成された嵌合溝で、平断面視コ字状又は逆コ字状をなしていると共に、当該嵌合溝Ｌ１ｂの内接部と左レンズＬ２の外周部Ｌ２１、Ｌ２２間には、左フレームＬ１の凸部ａ１、ａ２、ａ３及びａ４と左レンズＬ２の凹部ｂ１、ｂ２、ｂ３及びｂ４との嵌合部を除き、隙間ｍが形成されている。
【００３２】
図１〜図２におけるレンズ２を下方に移動するときは、指掛けＬ２ａ及びＲ２ａを指先（不図示）等で片方ずつか又は同時に下方に向けて引き下げれば、レンズ２の凹部ｂ１、ｂ２、ｂ３及びｂ４は、フレーム１の凸部ａ１、ａ２、ａ３及びａ４から解放され、嵌合溝Ｌ１ｂの内接部に沿って下降し、レンズ２の凹部ｂ１及びｂ２がフレーム１の凸部ａ３及びａ４に嵌合されるまで引き下ろされて、レンズ２はフレーム１に保持される。また逆にレンズ２を上方に引き上げるときは、下方に移動するときの逆動作、即ち指掛けＬ２ａ及びＲ２ａを指先等で片方ずつか又は同時に上方に向けて引き上げれば、簡単に図１〜図２の状態に復元することができる。
【００３３】
図６〜図９は、フレーム１０を円形とし、レンズ２０を半円形とした素通し部を設けた老眼鏡Ｍ２の実施態様である。左フレームＬ１０及び右フレームＲ１０は、ほぼ円形をなしている。フレーム１０の素材は、硬質樹脂材又は軽量金属、例えばチタン等が用いられる。レンズ２０は、ほぼ半円形をなしている。左フレームＬ１０及び右フレームＲ１０に嵌合、保持された左レンズＬ２０及び右レンズＲ２０の半径寸法ｒ（左レンズＬ２０と右レンズＲ２０は同寸法）は、左フレームＬ１０及び右フレームＲ１０の直径寸法Ｄの約半分又は半分よりやや大とされている。図６〜図９に示すように遠視用、近視用又は乱視用の凸レンズ又は凹レンズからなる左レンズＬ２０及び右レンズＲ２０は、左フレームＬ１０及び右フレームＲ１０の下部（又は上部）に保持され、左フレームＬ１０及び右フレームＲ１０の上部にはそれぞれ素通し部Ａ１０及びＡ２０が形成されている。ｃ１、ｃ２、ｃ３及びｃ４は、左フレームＬ１０及び右フレームＲ１０の水平直線上の内接部Ｌ１１０及びＲ１１０に形成された複数の半球状凸部である。Ｌ２０ａ及びＲ２０ａは、長さ寸法が約５〜８ｍｍの丸棒状の指摘みで、左レンズＬ２０及び右レンズＲ２０の上辺左端部又は右端部に接着剤等で貼着されている。
【００３４】
図７は、左レンズＬ２０（右レンズＲ２０の形状等はほぼ対称であるからその構造等についての説明は省略する。）の外周部Ｌ２１０とＬ２２０の上方には、複数の半球状凹部ｄ１とｄ２が水平直線上に設けられている。フレーム１０とレンズ２０の保持手段は、上述した左フレームＬ１０及び右フレームＲ１０に形成された半球状凸部ｃ１、ｃ２、ｃ３及びｃ４と左レンズＬ２０及び右レンズＲ２０に設けられた半球状凹部ｄ１、ｄ２、ｄ３及びｄ４（ｄ３、ｄ４は不図示）からなり、フレーム１０の半球状凸部ｃ１とｃ２にレンズ２０の半球状凹部ｄ１とｄ２が嵌合され、また半球状凸部ｃ３とｃ４に半球状凹部ｄ３とｄ４が嵌合されて、レンズ２０はフレーム１０に保持されている。
【００３５】
図８は、左フレームＬ１０に左レンズＬ２０が保持された状態で、指摘みＬ２０ａは、左フレームＬ１０の左端縁近傍に立設されている。Ｌ１０ｂは、左フレームＬ１０の内接部に形成された嵌合溝で、平断面視コ字状又は逆コ字状をなしていると共に、当該嵌合溝Ｌ１０ｂの内接部と左レンズＬ２０の外周部Ｌ２１０、Ｌ２２０間には、左フレームＬ１０の凸部ｃ１及びｃ２と左レンズＬ２０の凹部ｄ１及びｄ２との嵌合部を除き、隙間ｍが形成されている。
【００３６】
図９は、図６におけるレンズ２０を上方に回動するときは、指摘みＬ２０ａ及びＲ２０ａを指先（不図示）等で摘んで片方ずつか又は同時に１８０°内方に向けて回動すれば、レンズ２０の凹部ｄ１、ｄ２、ｄ３及びｄ４は、フレーム１０の凸部ｃ１、ｃ２、ｃ３及びｃ４から解放されて、嵌合溝Ｌ１０ｂ及びＲ１０ｂの内接部と摺動しながら回動し、レンズ２０の凹部ｄ１及びｄ２がフレーム１０の凸部ｃ３及びｃ４に嵌合されるまで回動されて、レンズ２０はフレーム１０に保持されると共に素通し部Ａ１０とＡ２０が形成される。また逆にレンズ２０を下方に向けて回動するときは、上方に回動するときの逆動作、即ち指摘みＬ２０ａ及びＲ２０ａを指先等で片方ずつか又は同時に上方に向けて１８０°回動すれば、簡単に図６〜図８の状態に復元することができる。
【００３７】
図１０〜１２は、本考案に係る素通し部を設けた老眼鏡Ｍ３である第３実施形態を示している。図示するように、左右のフレームＬ１００及びＲ１００は楕円形とされ、左右のレンズＬ２００及びＲ２００は半楕円形とされている。遠視用、近視用又は乱視用の凸レンズ又は凹レンズからなる左レンズＬ２００及び右レンズＲ２００は、左フレームＬ１００及び右フレームＲ１００の下部（又は上部）に保持され、左フレームＬ１００及び右フレームＲ１００の上部にはそれぞれ素通し部Ａ３０及びＡ４０が形成されている。
【００３８】
図１１は、右フレームＲ１００に右レンズＲ２００が保持された状態を示している。右フレームＲ１００の上部中央周縁には下向きのＶ字状突起Ｒ１００ａが形成され、右レンズＲ２００の下部中央周縁には、Ｖ字状突起Ｒ１００ａに嵌入するための逆Ｖ字状溝Ｒ２００ａが形成されている。Ｒ１００ｂは、右フレームＲ１００の内側（瞳側）に形成された右レンズＲ２００のストッパー用の壁部である。
【００３９】
図１２（イ）、（ロ）は、図１０における（イ）部及び（ロ）部の拡大図で、図１２（イ）に示すように、右フレームＲ１００のブリッジ３の近傍には右レンズＲ２００を保持するための枢支ピンＰ１が、右レンズＲ２００に設けられたピン孔Ｒ２００ｂに水平状に嵌入されている。また図１２（ロ）に示すように、右フレームＲ１００のヨロイ５の近傍には右レンズＲ２００を保持するための枢支ピンＰ２が、右レンズＲ２００に設けられたピン孔Ｒ２００ｃに水平状に嵌入されている。枢支ピンＰ１及び枢支ピンＰ２は、右フレームＲ１００に設けられた挿入孔Ｒ１００ｈに回転可能に挿入され、さらに枢支ピンＰ２にはＬ型のハンドルＰ２ａが延設されている。また枢支ピンＰ１と枢支ピンＰ２の先端部は、それぞれ接着剤によりピン孔Ｒ２００ｂとピン孔Ｒ２００ｃに固定されている。さらに枢支ピンＰ２にはＬ型のハンドルＰ２ａが延設されている。なお左フレームＬ１００と左レンズＬ２００の構造、左フレームＬ１００への左レンズＬ２００の保持手段等は、右フレームＲ１００と右レンズＲ２００の構造、保持手段等はほぼ同じ又は対称であるから、その説明は省略する。
【００４０】
左フレームＬ１００及び右フレームＲ１００内の左レンズＬ２００及び右レンズＲ２００を上部に変位するためには、老眼鏡Ｍ３着用者が、左フレームＬ１００に装着されている枢支ピンＰ４の逆Ｌ型のハンドルＰ４ａを右手の指先で摘み、また右フレームＲ１００に装着されている枢支ピンＰ２のＬ型のハンドルＰ２ａを左手の指先で摘み、同時又は片方ずつ、枢支ピンＰ４と枢支ピンＰ２を回転させると左レンズＬ２００及び右レンズＲ２００は、図１１に示す矢印のように反転し、左レンズＬ２００の逆Ｖ字状溝Ｌ２００ａは、左フレームＬ１００のＶ字状突起Ｌ１００ａに嵌入し、右レンズＲ２００の逆Ｖ字状溝Ｒ２００ａは、右フレームＲ１００のＶ字状突起Ｒ１００ａに嵌入して、左レンズＬ２００及び右レンズＲ２００は、左フレームＬ１００及び右フレームＲ１００に保持され、素通し部Ａ３０、Ａ４０がそれぞれの下部に形成される。逆に左レンズＬ２００及び右レンズＲ２００を下部に変位するためには、左レンズＬ２００及び右レンズＲ２００を上部に変位する逆の動作を行えば、簡単にこれを行うことができる。
【００４１】
本考案は、上記実施形態のものに必ずしも限定されるものではなく、本考案の趣旨を逸脱しない範囲において種々の変更を加えることが可能である。図示しないが、例えば左右
のフレームを正六角形、正八角形等の正多角形とし、当該左右のフレームに装着される左右のレンズの縦巾寸法を前記左右のフレームの約半分又は半分よりやや大とすることができる。
【図面の簡単な説明】
【００４２】
【図１】は、本考案に係る、素通し部を設けた老眼鏡の全体を示す斜視図である。
【図２】は、同上の正面図である。
【図３】は、四角形凸レンズの斜視図である。
【図４】は、図２における４−４線拡大断面図である。
【図５】は、図４における５−５線拡大断面図である。
【図６】は、本考案に係る、素通し部を設けた老眼鏡における他の実施形態を示す正面図である。
【図７】は、円形凸レンズの斜視図である。
【図８】は、図６における８−８線拡大断面図である。
【図９】は、図６における左右のレンズを上部に回動した状態を示す正面図である。
【図１０】は、本考案に係る、素通し部を設けた老眼鏡における第３の実施形態を示す正面図である。
【図１１】は、図１０における１１−１１線拡大断面図である。
【図１２】（イ）は、図１１における（イ）部の一部切欠拡大正面図、（ロ）は、同（ロ）部の一部切欠拡大正面図である。
【符号の説明】
【００４３】
Ｍ１                      老眼鏡
Ａ１、Ａ２                素通し部
Ｈ                        フレームの縦巾寸法
ｈ                        レンズの縦巾寸法
１                        フレーム
Ｌ１                      左フレーム
Ｒ１                      右フレーム
Ｌ１１、Ｒ１１            内接部          
２                        レンズ
Ｌ２                      左レンズ
Ｒ２                      右レンズ
Ｌ２ａ、Ｒ２ａ            指掛け
Ｌ２０ａ、Ｒ２０ａ        指摘み
Ｌ２１、Ｌ２２            外周部
ａ１、ａ２、ａ３、ａ４    半球状凸部
ｂ１、ｂ２、ｂ３、ｂ４    半球状凹部
ｍ                        隙間
【図１】
0003148357.tif 000003
【図２】
0003148357.tif 000004
【図３】
0003148357.tif 000005
【図４】
0003148357.tif 000006
【図５】
0003148357.tif 000007
【図６】
0003148357.tif 000008
【図７】
0003148357.tif 000009
【図８】
0003148357.tif 000010
【図９】
0003148357.tif 000011
【図１０】
0003148357.tif 000012
【図１１】
0003148357.tif 000013
【図１２】
0003148357.tif 000014